(57)【要約】【課題】  筆記のため軸先を握っている状態のままで筆記先端部を軸内に収納可能とする。【構成】  ノック部材を摺動させることにより選択的に筆記部を先軸の先端孔から突出係止させるようにした複式筆記具において、後軸周面の一箇所に後軸内孔に垂直に通じる孔部を設け、その孔部に当接部を有した係止解除部材を取付けて、該係止部材が孔部に対して没入方向に作動可能となるように設け、また、後軸内孔の前記係止解除部材に対面する軸方向に適宜自重を有したハンマーが自重で前後動するように設けられて、何れか一箇所のノック部材が前進位置に係止された状態で、先軸を上向きにしたときにハンマーが自重で後退して係止解除部材を没入方向に作動するように衝接し、それにより、係止解除部材の当接部が後軸の前進位置に係止されたノック部材を後軸外側に押圧してノック部材の係止が解除され、ノック部材が後退する。【選択図】        図１
2006044062.tif 000002
【特許請求の範囲】
【請求項１】
筆記体と連接した複数のノック部材の操作部を後軸周面の複数箇所で後端部に至り設けた縦窓孔にそれぞれ突出させ、各ノック部材を軸先方に摺動させることにより選択的に筆記部を先軸の先端孔から突出係止させるようにした複式筆記具において、
前記後軸周面の一箇所に後軸内孔に垂直に通じる孔部を設け、その孔部に当接部を有した係止解除部材を取付けて、該係止部材が孔部に対して没入方向に作動可能となるように設け、また、後軸内孔の前記係止解除部材に対面する軸方向に適宜自重を有したハンマーが自重で前後動するように設けられて、何れか一箇所のノック部材が前進位置に係止された状態で、先軸を上向きにしたときに前記ハンマーが自重で後退して係止解除部材を没入方向に作動するように衝接し、それにより、係止解除部材の当接部が後軸の前進位置に係止されたノック部材を後軸外側に押圧してノック部材の係止が解除され、ノック部材が後軸の後端側に後退した状態となるように構成されたことを特徴とする複式筆記具。
【請求項２】
後軸内孔に垂直に通じる孔部に、一端に釦部を他端に当接部を有した係止解除部材を取付けて、釦部が後軸周面より適宜突出すると共に孔部に対して没入方向に作動可能となるように設けられ、さらに後軸に設けられたクリップの玉部に係止解除部材の釦部が対接して設けられたことを特徴とする請求項１に記載の複式筆記具。
【発明の詳細な説明】
【技術分野】
【０００１】
本発明は、ノック部材を軸先方に摺動させることにより選択的に筆記部を先軸の先端孔から突出係止させるようにした複式筆記具の改良に関する。
【背景技術】
【０００２】
【特許文献１】特開２００１−２２５５８８（特許文献１）  軸本体内に複数の筆記体を有し、筆記体は弾発部材により軸本体後方に付勢されるが、筆記体の後端に取り付けられているノック部材を前進させて、ノック部材を軸本体に係合させることにより、筆記体を軸本体から突出させるようにした複式筆記具が一般的に知られている。
【発明の開示】
【発明が解決しようとする課題】
【０００３】
本発明は、筆記のため軸先を握っている状態のままで筆記先端部を軸内に収納可能とすることを第１の課題とし、携帯時などにノック部材に外力が加わり、意図せずに筆記先端部が先軸の先端孔から突出してしまう問題の回避を第２の課題とする。
【課題を解決するための手段】
【０００４】
本発明は、上記課題を達成するために以下の構成を有する。
請求項１に記載の発明に係る複式筆記具は、筆記体と連接した複数のノック部材の操作部を後軸周面の複数箇所で後端部に至り設けた縦窓孔にそれぞれ突出させ、各ノック部材を軸先方に摺動させることにより選択的に筆記部を先軸の先端孔から突出係止させるようにした複式筆記具において、前記後軸周面の一箇所に後軸内孔に垂直に通じる孔部を設け、その孔部に当接部を有した係止解除部材を取付けて、該係止部材が孔部に対して没入方向に作動可能となるように設け、また、後軸内孔の前記係止解除部材に対面する軸方向に適宜自重を有したハンマーが自重で前後動するように設けられて、何れか一箇所のノック部材が前進位置に係止された状態で、先軸を上向きにしたときに前記ハンマーが自重で後退して係止解除部材を没入方向に作動するように衝接し、それにより、係止解除部材の当接部が後軸の前進位置に係止されたノック部材を後軸外側に押圧してノック部材の係止が解除され、ノック部材が後軸の後端側に後退した状態となる。
【０００５】
請求項２に記載の発明に係る複式筆記具は、請求項１に記載の複式筆記具に於いて、後軸内孔に垂直に通じる孔部に、一端に釦部を他端に当接部を有した係止解除部材を取付けて、釦部が後軸周面より適宜突出すると共に孔部に対して没入方向に作動可能となるように設けられ、さらに後軸に設けられたクリップの玉部に係止解除部材の釦部が対接して設けられてなる。
【発明の効果】
【０００６】
本発明は、筆記のため軸先を握っている状態のままで軸先を上に向けると筆記先端部が軸内に収納されるので、わざわざ握り直してノック部材の係止解除をする煩わしさが無く、軸先を握ったまま容易にディスプレイやパソコン、電卓、電子辞書などのキー釦を軸先で押すことが可能となる。それにより、筆記しながらキー操作をする際に、とっさに筆記先端部でキー等を押してしまうトラブルが回避可能となる。
また、携帯時などにノック部材に外力が加わり、意図せずに筆記先端部が先軸の先端孔から突出してしまう問題が回避可能となる。
【発明を実施するための最良の形態】
【０００７】
以下、本発明の実施形態について、図面を参照しながら説明する。
図１乃至図８は本発明の実施形態を示している。先ず、図１は筆記体として３色のボールペンが摺動自在に配置されている複式筆記具を示している。（尚、図面に於いては透視の都合から２本の筆記体しか示されていない。）また、ボールペンは高粘度の油性インキを使用したもの、低粘度あるいは剪断減粘性を有する水性、油性のインキを使用したものなど自由である。また、筆記体はボールペンばかりではなくシャープペンシルなどであっても良い。１は軸本体であり、その軸本体１は、先軸３と後軸２と後軸２の前方内孔部に固定された中駒５とより構成されている。また、先軸３と後軸２は螺合等の手段により離脱可能に固定されてなる。
【０００８】
後軸２周面には、長手方向に３箇所の縦窓孔２ａが形成されている。実施形態は筆記体９で示されるボールペンの数が３本であるが、この筆記体９の本数によって縦窓孔２ａの数が設定される。また、縦窓孔２ａの両側にはリブ２ｂが形成され、リブ２ｂの前端はノック部材の後端係止部６ａを係合する段部２ｃとなっている。
また、中駒５は、各筆記体９の挿通孔を有すると共に、中駒５を後軸２に組み付けた際に相互間に形成されたリブと溝の係合で回転止めされると共に、後軸２の内周部と中駒５の外周部に形成された凹凸部の弾性変形によって係合し、中駒５が後軸２に固定される。  
【０００９】
ノック部材６は、その前端に筆記体９の後端が着脱可能に止着され、ノック部材６は、筆記体９の先端が中駒５の挿通孔を貫通した状態に後軸２の縦窓孔２ａから挿着される。  その際、中駒５の後端側とノック部材６の前端側との間にリターンスプリング１１が敷設され、常時、ノック部材６は後軸２に対して後方に附勢されている。尚、ノック部材６と中駒５の取付けは上記の手順に限定されない。
【００１０】
次に、本発明の要旨について説明する。
後軸２周面の一箇所に後軸内孔に垂直に通じる孔部２ｄが前端に段部２ｅを有して設けられ、その孔部２ｄ係止解除部材７が取付けられている。
係止解除部材７は、図８に示すように一端に鍔を備えた軸状の釦部７ａの他端部が角状の作動コマ７ｂの一端に接合されてなり、作動コマ７ｂには正面に傾斜状のカム面７ｃが形成され、他端が略平坦な当接部７ｄとなっている。
係止解除部材７は、図３に示すように、後軸２の外部から孔部２ｄに釦部７ａがその鍔の内面側にスプリング８を装着した状態で挿入され、後軸２の内段部２ｈに作動コマ７ｂの一端である段部７ｅを当接させた状態で釦部７ａの他端部が固着されて、スプリング８によって釦部７ａが後軸２の周面より適宜突出した状態に附勢され、且つ、後軸２の孔部２ｄに対して没入方向に作動可能となるように設けられている。
【００１１】
また、後軸２内孔において、係止解除部材７に対面する軸方向に一致して適宜自重を有したハンマー１０が自重で前後動するように設けられ、何れか一箇所のノック部材６が前進位置に係止された状態で、先軸３を上向きにしたときに前記ハンマー１０が自重で後退して係止解除部材７を没入方向に作動するように衝接し、それにより、係止解除部材７の当接部７ｄが後軸２の前進位置に係止されたノック部材６の側面を後軸２の外側に押圧してノック部材６の後端係止部６ａと後軸２の段部２ｃとの係止が解除され、ノック部材６が後軸２の後端側に後退した状態となる。（図５参照）
【００１２】
実施形態において、ハンマー１０は、図に示すような棒状体をなし、後端に凸部１０ａを有している。ハンマー１０は適宜な自重を有するために比重の大きな金属製であることが望ましい。また、ハンマー１０は、図６及び図７に示される中駒５のガイド孔５ｃに摺動自在に嵌挿し、また、段部５ａ、５ｂによって前後動する範囲が設定されるように設けられている。また、上述したように、実施形態の作動コマ７ｂは、正面に傾斜状のカム面７ｃが形成されており、先軸３を上向きにしたときに前記ハンマー１０が自重で後退して、ハンマー１０の凸部１０ａがこのカム面７ｃに衝接して作動コマ７ｂを後軸の孔部２ｄに対する没入方向に作動させる。
【００１３】
また、実施形態において、後軸２の側面にクリップ２ｆが設けられ、その玉部２ｇがクリップ前端の下部面に並列した２箇所の円弧状リブで形成され、そのリブとリブの間に後軸の周面から突出した係止解除部材７の釦部７ａが位置して、クリップ２ｆを服のポケットなどに差したときに、ポケットのエッジによって釦部７ａが没入され、前進位置に係止されたノック部材６の係止を解除する。
【００１４】
（他の実施形態）
釦部７ａを後軸の周面より適宜突出した状態にスプリング８を設けているが、このスプリング８の附勢力は弱ものでよく、極端にはノック部材６を前進位置に係止することが拘束されなければよいのでスプリングを削除することも可能である。
また、係止解除部材７、ハンマー１０は上述した実施形態に限定されず設けることが可能である。
また、クリップ２ｆは後軸の周面に別体として設けることは自由である。また、クリップを服のポケットなどに差したときにノック部材の係止を解除するためにクリップの玉部と釦部を対接させる形態は上述した実施形態に限定されず設けることが可能である。
また、軸先でディスプレイやパソコン、電卓、電子辞書などのキー釦を押すことを予測して先軸３前端の角を丸めたり、前端に弾性材料を塗布したり、弾性部品を設けたりすることも考えられる。
【図面の簡単な説明】
【００１５】
【図１】本発明の実施形態である複式筆記具の全体を示す縦断面図で、一箇所のノック部材が前進位置に係止された状態を示している。
【図２】図１における要部拡大図である。
【図３】図２のＡ−Ａ断面図である。
【図４】図２のＢ−Ｂ断面図である。
【図５】釦部が没入され、前進位置に係止されたノック部材の係止が解除される瞬間の状態を示した縦断面図である。
【図６】中駒の断面図である。
【図７】中駒の側面図である。
【図８】係止解除部材の断面図である。
【符号の説明】
【００１６】
１      軸本体
２      後軸
２ａ    縦窓孔
２ｂ    リブ
２ｃ    段部
２ｄ    孔部
２ｅ    段部
２ｆ    クリップ
２ｇ    玉部
２ｈ    内段部
３      先軸
４      グリップ
５      中駒
５ａ    段部
５ｂ    段部
５ｃ    ガイド孔
６      ノック部材
６ａ    後端係止部
７      係止解除部材
７ａ    釦部
７ｂ    作動コマ
７ｃ    カム面
７ｄ    当接部
７ｅ    段部
８      スプリング
９      筆記体
１０    ハンマー
１０ａ  凸部
１１    リターンスプリング
【図１】
2006044062.tif 000003
【図２】
2006044062.tif 000004
【図３】
2006044062.tif 000005
【図４】
2006044062.tif 000006
【図５】
2006044062.tif 000007
【図６】
2006044062.tif 000008
【図７】
2006044062.tif 000009
【図８】
2006044062.tif 000010